(57)【要約】本発明は、人体感知部を設置して建築物内部の人の有無を感知し、傾斜センサーと加速度センサーを設置して地震又は外部の衝撃が発生した場合に変化する傾斜データと加速度データをイベントトリガー信号として設定し、イベントトリガー信号が発生した時点の一定時間前に人体感知部で計測した信号を分析して、建築物の崩壊事故の発生前に人がいた場合は警報アラーム部を介して人が埋まった場所の位置を音声又はモールス符号によって警報し、迅速に救助作業を進められるようにすることにより、崩壊による事故死亡率を顕著に低減することができる崩壊による遭難の救助システムに関するものである。【選択図】図２
2014520324.tif 000002
【特許請求の範囲】
【請求項１】
人々が内部で業務又は休息を取る建築物の崩壊事故の発生時に、建築物に存在する人の有無を感知して埋まった人の位置を警報し、これによって埋まった人を迅速に救助することができる崩壊による遭難の救助システムにおいて、
前記建築物の内部の天井又は壁面に設置して赤外線センサー又は人体感知センサーによって人の有無を常時計測によって感知する人体感知部と、
前記建築物の内壁の梁又は柱に設置して地震又は外部の衝撃が発生した場合に傾斜センサーと加速度センサーによって急に変化する傾斜及び加速度データを測定してイベントトリガー信号として活用する傾斜及び加速度測定部と、
前記建築物に地震又は外部衝撃によって前記傾斜及び加速度データが設定した基準値以上に急激に変わる場合にこれを前記イベントトリガー信号とみなして建築物が崩壊したものと判断し、前記傾斜及び加速度データが急激に変わった時点の一定時間前に前記人体感知部で感知したデータを分析して崩壊した建物の内部に人がいたかの有無を判断して、人がいた場合はあらかじめ保存された設置場所の位置情報を低周波数のＲＦ（Ｒａｄｉｏ  Ｆｒｅｑｕｅｎｃｙ）で伝送するデータ分析部と、
前記データ分析部で分析したデータによって人の有無が確認されて埋まった人がいると判断した場合に、アラーム音によって埋没者が発生した位置情報を警報する警報アラーム部と、
前記人体感知部と前記傾斜及び加速度測定部に平常時に常時電源を供給する常用電源と、前記建築物の崩壊によって前記常用電源の供給が難しい場合の非常時に臨時的に前記警報アラーム部に電源を供給して警報を鳴らすことができるようにするバッテリーを含む電源供給部とを含むことを特徴とする崩壊による遭難の救助システム。
【請求項２】
前記人体感知部は、前記建築物の内部の天井又は壁面等の人々の感知が円滑な位置に設置して、前記常用電源を介して電源の供給を受けて前記建築物の内部に存在する人の有無を前記赤外線センサー又は前記人体感知センサーによって常時計測して、前記計測したデータを前記データ分析部に伝送することを特徴とする、請求項１に記載の崩壊による遭難の救助システム。
【請求項３】
前記傾斜及び加速度測定部は、前記建築物の内壁の梁又は柱に設置して、地震又は外部の衝撃に伴う傾斜変化を測定する傾斜センサーと、前記地震又は外部の衝撃に伴う加速度変化を測定する加速度センサーと、前記傾斜センサーと前記加速度センサーで計測したデータを増幅してフィルタリングする信号処理部と、前記信号処理部で増幅とフィルタリングがなされた前記傾斜及び加速度データをデジタル信号に変換するＡ／Ｄ変換部とを含むことを特徴とする、請求項１に記載の崩壊による遭難の救助システム。
【請求項４】
前記データ分析部は、前記傾斜及び加速度測定部で測定したデータの送信を受けて、前記傾斜及び加速度データの急激な変化が発生してあらかじめ設定した基準値を超過した場合、前記建築物に地震又は外部衝撃によって前記建築物の崩壊が発生したというイベントトリガー信号を発生するイベントトリガー発生部と、
前記イベントトリガー発生部で地震又は外部衝撃による前記建築物の崩壊が発生したという前記イベントトリガー信号が発生した場合に、前記人体感知部から送信を受けたデータで前記一定時間前のデータを抽出する人体感知抽出部と、
前記人体感知抽出部で抽出した崩壊が発生する前記一定時間前のデータを分析して、崩壊が発生する前記一定時間前に人がいたかについての有無を判別する人体感知判別部と、
前記人体感知判別部で前記建築物が崩壊する前に人がいたと判別する場合に事前に保存した建築物の位置を低周波ＲＦ（Ｒａｄｉｏ  Ｆｒｅｑｕｅｎｃｙ）で伝播する位置伝送部と、
前記人体感知判別部で建築物が崩壊する前に人がいたと判別する場合、前記警報アラーム部で事前に保存した前記建築物の崩壊位置を音声又はモールス符号によって警報するように制御する警報アラーム制御部とを含むことを特徴とする、請求項１に記載の崩壊による遭難の救助システム。
【請求項５】
前記警報アラーム部は、データ分析部の警報アラーム制御部の制御によって前記建築物崩壊時に内部に人がいると判断されれば、あらかじめ保存した前記建築物の崩壊位置を音声信号又はモールス信号によって警報して、前記建築物の崩壊時に埋まった人の位置を知らせて、救助隊員が迅速に対応して埋まった人を救助できるようにすることを特徴とする、請求項１に記載の崩壊による遭難の救助システム。
【請求項６】
前記電源供給部は、平常時には常用電源を介して前記人体感知部と前記傾斜及び加速度測定部に電源を供給して常時計測を実施し、前記建築物に地震又は外部の衝撃によって崩壊する非常時に前記常用電源の供給が難しくなれば、バッテリーを介して前記データ分析部と前記警報アラーム部に電源を供給して、崩壊後にも電源供給が可能で救助隊員に埋没者の位置情報を警報によって知らせることができるようにすることを特徴とする、請求項１に記載の崩壊による遭難の救助システム。
【請求項７】
前記傾斜及び加速度測定部と前記データ分析部と前記警報アラーム部と前記電源供給部とは、前記建築物の崩壊時に外部の衝撃に耐えられるようにハウジングの内部に設置され、外部衝撃から保護することができることを特徴とする、請求項１項に記載の崩壊による遭難の救助システム。
【発明の詳細な説明】
【技術分野】
【０００１】
本発明は、人々が内部で業務又は休息を取る建築物の崩壊事故の際に、建築物に存在する人を感知して埋まった人の位置を把握し、これにより埋まった人を迅速に救助することができる、崩壊による遭難の救助システムに関する。より詳しくは、建築物の内部の天井や人々の感知が円滑な位置に赤外線センサー又は人体感知センサーの人体感知部を設置して、建築物の内部での人の有無を感知し、前記建築物の内壁の梁に傾斜センサーと加速度センサーを設置して、地震又は外部の衝撃が発生した場合に変化する傾斜データと加速度データをイベントトリガー信号と設定して、前記イベントトリガー信号が発生すれば、建築物が崩壊しているものと判断し、イベントトリガー信号が発生した時点の一定時間前に人体感知部で計測した信号を分析して、建築物の崩壊前の人の有無を判断し、これによって、人がいる場合は警報アラーム部を介して人が埋まった場所の位置を音声又はモールス符号によって警報して、現場に到着した救助隊員が警報アラーム部が警報によって知らせる位置を把握して迅速に救助作業を進め、崩壊による事故の死亡率を顕著に低減することができる崩壊による遭難の救助システムに関する。
【背景技術】
【０００２】
社会環境が急激に多変化し、地震、火災、爆発、崩壊等のような各種の大規模災害・事故の発生頻度も大幅に増加する趨勢にあり、これによって、大規模災害・事故による人命及び財産被害の規模がますます大きくなっている実情である。
【０００３】
最近は、中国の四川省地震、ハイチ地震によって多くの人命被害と財産被害を受けたし、最も最近発生した日本の地震は強度９．０の強力な地震で、地震に対する備えが最もよくなされている日本であるが、その被害規模は想像を絶するほどであった。前記のような地震による人命被害は、大部分が建築物の崩壊によって発生するもので、前記四川省地震の人命被害は約７万名、ハイチ地震の人命被害は２３万名、日本の地震の人命被害は約２万名に至るほどに大規模な人命被害が発生した。また、地震、外部の衝撃等によって建築物が崩壊した場合、前記建築物の崩壊過程で死亡する人命被害も発生するが、崩壊した事故現場に埋まって迅速な救助作業がなされずに死亡する人命被害の発生率が高く、実際に崩壊事故現場に埋まってから数十日が経って救助されて生存した救助者も発生した。
【０００４】
地震、爆発等の外部衝撃等による建築物の崩壊事故では、崩壊事故の発生後、事故現場に救助隊員が投入され、前記投入された救助隊員は崩壊事故現場のあちこちに散らばって死者又は負傷者を救助し、孤立している救助対象者を捜索してかれらを安全な地域に待避させる活動、火災等の災害状況を鎮圧する活動等を主に展開するようになる。しかし、崩壊事故が発生した現場に埋まった救助対象者は、崩壊状況で意識を失ったり自主的に救助信号を送ることができる与件になっていないため、救助対象者の位置が把握されずに埋まった現場を復旧したり捜索する作業が難航することになる。また、救助隊員も崩壊事故現場の特定地域を捜索することができず、いちいち全ての埋没地域を捜索して埋まった救助対象者を探すしかない実情で、迅速な救助業務が進められないでいる。したがって、事故発生後に数日の現場収拾が完了した後にようやく埋まった被害者を救助することができるため、人命の被害が増加せざるを得なかった。
【０００５】
これにより、既存の通常的な方式では、救助者の位置が正確に把握されていない状態で、目撃者の証言や設計者又は事故当時の状況を土台として救助者の位置を推測によって判断して、該当地域で救助作業を行うようになるため、急を要する救助対象者が生命を失う恐れがあり、事故現場の特性上、連鎖事故を防止するために救助作業が手作業でなされることにより、該当地域以外の他の地域で救助を待つ生存者の位置や健康状態等が把握できず、多くの人命損失をもたらす恐れがあり、なによりも生存者の推定位置がずれていた場合、それに伴う時間と努力が無駄になる状況が発生し、以降の救助作業は混乱をもたらす結果を生むこととなって救助作業が遅延し、これに伴うやむを得ない人命の損失を甘受するしかない問題が発生する等の非常に難しい状況が発生している。
【先行技術文献】
【特許文献】
【０００６】
【特許文献１】特開２００５−２７６１１１号公報
【発明の概要】
【発明が解決しようとする課題】
【０００７】
本発明は、前記のような問題点を解決するために案出されたもので、人々が内部で業務又は休息を取る建築物に人体感知部を設置して、建築物の内部での人々の有無を感知し、地震又は外部の衝撃等によって建築物の崩壊事故が発生した場合、傾斜センサーと加速度センサーによって建築物の傾斜データと加速度データを測定して、データの変化量によって建築物の崩壊と判断する場合、人体感知部で測定したデータの一定時間前のデータを分析して、建築物の崩壊事故前の一定時間前に人の有無を判断して、前記人が建築物の内部にいると判断した場合、モールス符号とアラーム音によって内部に人が位置していた場所の位置を警報して、崩壊事故による埋没時に救助隊員が、警報されるアラーム音及びモールス符号によって埋まった人の位置を正確に探し出して、埋没による人命被害を最小化することができ、これによって迅速な救助作業を進めることができる崩壊による遭難の救助システムを提供することにその目的がある。
【０００８】
また、本発明は、崩壊事故で埋まった埋没者を区分するために、常時に人体感知部を介して人の有無を感知し、傾斜及び加速度測定部で急激に変化する傾斜及び加速度データを測定した場合に、これを崩壊が発生したというイベントトリガー信号とみなして、人体感知部で測定したデータの一定時間前のデータを分析して人の有無を判断し、人がいたと判断した場合、警報アラーム部を介して自動的に埋まった場所についての警報音を警報させ、崩壊事故による埋没者発生の際に警報音によって救助隊員が迅速な救助作業を進めることができる崩壊による遭難の救助システムを提供することにまた他の目的がある。
【課題を解決するため手段】
【０００９】
本発明は、人々が内部で業務又は休息を取る建築物の崩壊事故の発生時に、建築物に存在する人の有無を感知して埋まった人の位置を警報し、これによって埋まった人を迅速に救助することができる崩壊による遭難の救助システムにおいて、前記建築物の内部の天井又は壁面に設置して赤外線センサー又は人体感知センサーによって人の有無を常時計測によって感知する人体感知部と、前記建築物の内壁の梁又は柱に設置して地震又は外部の衝撃が発生した場合に傾斜センサーと加速度センサーによって急に変化する傾斜及び加速度データを測定してイベントトリガー信号として活用する傾斜及び加速度測定部と、前記建築物に地震又は外部衝撃によって傾斜及び加速度データが設定した基準値以上に急激に変わる場合にこれをイベントトリガー信号とみなして建築物が崩壊したものと判断し、前記傾斜及び加速度データが急激に変わった時点の一定時間前に人体感知部で感知したデータを分析して崩壊した建物の内部に人がいたかの有無を判断して、人がいた場合はあらかじめ保存された設置場所の位置情報を低周波数のＲＦ（Ｒａｄｉｏ  Ｆｒｅｑｕｅｎｃｙ）で伝送するデータ分析部と、前記データ分析部で分析したデータによって人の有無が確認されて埋まった人がいると判断した場合に、アラーム音によって埋没者が発生した位置情報を警報する警報アラーム部と、前記人体感知部と傾斜及び加速度測定部に平常時に常時電源を供給する常用電源と、前記建築物の崩壊によって常用電源の供給が難しい場合の非常時に臨時的に警報アラーム部に電源を供給して警報を鳴らすことができるようにするバッテリーを含む電源供給部とを含むことを特徴とする。
【００１０】
また、前記人体感知部は、建築物の内部の天井又は人々の感知が円滑な位置に設置して、常用電源を介して電源の供給を受けて建築物の内部に存在する人の有無を赤外線センサー又は人体感知センサーによって常時計測して、前記計測したデータをデータ分析部に伝送することを特徴とする。
【００１１】
前記傾斜及び加速度測定部は、建築物の内壁の梁又は柱に設置して、地震又は外部の衝撃に伴う傾斜変化を測定する傾斜センサーと、前記地震又は外部の衝撃に伴う加速度変化を測定する加速度センサーと、前記傾斜センサーと加速度センサーで計測したデータを増幅してフィルタリングする信号処理部と、前記信号処理部で増幅とフィルタリングがなされた傾斜及び加速度データをデジタル信号に変換するＡ／Ｄ変換部とを含むことを特徴とする。
【００１２】
また、前記データ分析部は、傾斜及び加速度測定部で測定したデータの送信を受けて、前記測定した傾斜データと加速度データの急激な変化が発生してあらかじめ設定した基準値を超過した場合、前記建築物に地震又は外部衝撃によって建築物の崩壊が発生したというイベントトリガー信号を発生するイベントトリガー発生部と、前記イベントトリガー発生部で地震又は外部衝撃による建築物の崩壊が発生したというイベントトリガー信号が発生した場合に、人体感知部から送信を受けたデータで一定時間前のデータを抽出する人体感知抽出部と、前記人体感知抽出部で抽出した崩壊が発生する一定時間前のデータを分析して、崩壊が発生する一定時間前に人がいたかについての有無を判別する人体感知判別部と、前記人体感知判別部で建築物が崩壊する前に人がいたと判別する場合に事前に保存した建築物の位置を低周波ＲＦ（Ｒａｄｉｏ  Ｆｒｅｑｕｅｎｃｙ）で伝播する位置伝送部と、前記人体感知判別部で建築物が崩壊する前に人がいたと判別する場合、警報アラーム部で事前に保存した建築物の崩壊位置を音声又はモールス符号によって警報するように制御する警報アラーム制御部とを含むことを特徴とする。
【００１３】
前記警報アラーム部は、データ分析部の警報アラーム制御部の制御によって建築物崩壊時に内部に人がいると判断されれば、あらかじめ保存した建築物の崩壊位置を音声信号又はモールス信号によって警報して、前記建築物の崩壊時に埋まった人の位置を知らせて、救助隊員が迅速に対応して埋まった人を救助できるようにすることを特徴とする。
【００１４】
また、前記電源供給部は、平常時には常用電源を介して人体感知部と傾斜及び加速度測定部に電源を供給して常時計測を実施し、建築物に地震又は外部の衝撃によって崩壊する非常時に常用電源の供給が難しくなれば、バッテリーを介してデータ分析部と警報アラーム部に電源を供給して、崩壊後にも電源供給が可能で救助隊員に埋没者の位置情報を警報によって知らせることができるようにすることを特徴とする。
【００１５】
前記傾斜及び加速度測定部とデータ分析部と警報アラーム部と電源供給部とは、建築物の崩壊時に外部の衝撃に耐えられるようにハウジングの内部に設置され、外部衝撃から保護することができることを特徴とする。
【発明の効果】
【００１６】
本発明は、地震又は外部の衝撃によって建築物の崩壊事故が発生した場合、建築物の内部で待避しきれずに埋まった埋没者を感知して、崩壊事故の発生時に埋没者が埋まった場所の位置を警報アラーム部を介してモールス符号と音声で警報するように設定して、救助隊員が救助現場で埋まった埋没者の位置を迅速に把握し、これにより崩壊事故の際に埋没によって発生し得る人命被害を最小化することができる効果があり、また救助作業時に全ての崩壊地域をいちいち捜索せず、警報アラーム部で警報する位置に対する捜索により寸時を争う捜索作業で迅速かつ正確に埋没者の位置を把握して、崩壊事故に対する事故処理の時間を短縮し、時間の短縮によって多くの人命をいかすことができるようにする効果がある。
【図面の簡単な説明】
【００１７】
【図１】本発明による崩壊による遭難の救助システムの実施例を示した図面。
【図２】本発明による崩壊による遭難の救助システムの構成図。
【図３】本発明による崩壊による遭難の救助システムのデータ分析部の詳細構成図。
【発明を実施のための形態】
【００１８】
本発明は、人々が内部で業務又は休息を取る建築物が地震又は外部の衝撃によって崩壊事故が発生した際、建築物に存在する人を感知して、崩壊事故によって埋まった人々の位置を自動で警報して、救助隊員が埋まった人々を迅速に救助することができ、崩壊事故の発生時に埋まった人々が意識がなかったり救助要請ができない状況である場合、能動的に該当埋まった位置を警報して、崩壊事故による人命被害を最小化することができるものであり、望ましい実施例による崩壊による遭難の救助システムについて添付された図面を参照して詳細に説明すれば次のとおりである。
【００１９】
図１は、本発明による崩壊による遭難の救助システムの実施例を示した図面で、図２は本発明による崩壊による遭難の救助システムの構成図であり、図３は本発明による崩壊による遭難の救助システムのデータ分析部の詳細構成図である。
【００２０】
図１ないし図３に示されたように、本発明は、人々が内部で業務又は休息を取る建築物が地震又は外部の衝撃によって崩壊事故が発生した場合、人体感知部１００によって平常時に建築物に存在する人の有無を感知し、傾斜センサー２１０と加速度センサー２２０によって建築物の急激な傾斜及び加速度の変化量が感知された場合、これを建築物の崩壊とみて、人体感知部１００で感知した一定時間前のデータを判別して、建築物の崩壊直前に内部に人がいると判断されれば、内部に存在していた人が崩壊によって埋まったと判断して、警報アラーム部４００を介して事前に保存した崩壊埋没地域の位置を警報し、崩壊事故発生時に救助隊員が埋没者の位置を迅速に把握し優先的に埋没者を救助することができるものである。
【００２１】
本発明の具体的な構成を詳察すると、建築物の内部の天井に設置して赤外線センサー又は人体感知センサーによって建築物内部の人の有無を常時計測によって監視する人体感知部１００と、前記建築物の内壁の梁又は柱に設置して地震又は外部衝撃によって建築物が崩壊した場合に傾斜センサー２１０と加速度センサー２２０によって急に変化する傾斜及び加速度データを分析して、前記傾斜及び加速度データをイベントトリガー信号として測定する傾斜及び加速度測定部２００と、前記建築物に地震又は外部衝撃によって急激な傾斜及び加速度データが変わる場合にこれをイベントトリガー信号とみなして建築物が崩壊したものと判断し、前記傾斜及び加速度データが急激に変わった時点の一定時間前に人体感知部１００で感知したデータを分析して崩壊した建築物の内部に人がいたかの有無を判断して、人が感知されていた場合はあらかじめ保存された設置場所の位置データを低周波数のＲＦ（Ｒａｄｉｏ  Ｆｒｅｑｕｅｎｃｙ）で伝送するデータ分析部３００と、前記データ分析部３００で分析したデータによって人の有無が確認されて埋まった人がいると判断されればアラーム音によってあらかじめ設定した埋まった場所の位置を警報する警報アラーム部４００と、前記人体感知部１００と傾斜及び加速度測定部２００に平常時には常用電源を介して電源を供給し、前記建築物の崩壊によって常用電源の供給が難しい場合非常時には臨時的にバッテリーを介して警報アラーム部４００に電源を供給して警報を鳴らすようにする電源供給部５００から構成される。
【００２２】
前記人体感知部１００は、建築物の内部の天井又は人々の感知が円滑な位置に設置して、常用電源を介して電源の供給を受けて建築物の内部に存在する人の有無を赤外線センサー又は人体感知センサーによって常時計測し、前記計測したデータはデータ分析部３００に伝送する。
【００２３】
また、前記傾斜及び加速度測定部２００は、建築物の内壁の梁に設置して地震又は外部の衝撃に伴う傾斜変化を測定する傾斜センサー２１０と、前記地震又は外部の衝撃に伴う加速度を測定する加速度センサー２２０と、前記傾斜センサー２１０と加速度センサー２２０で計測したデータを増幅しフィルタリングする信号処理部２３０と、前記信号処理部２３０で増幅とフィルタリングした傾斜及び加速度データをデジタル信号に変換するＡ／Ｄ変換部２４０からなり、前記傾斜及び加速度測定部で計測したデータはデータ分析部３００に送信されて、あらかじめ設定した傾斜及び加速度データ変化量を超過する場合に建築物が崩壊したと判断してこれをイベントトリガー信号として使用する。
【００２４】
前記人体感知部１００と傾斜及び加速度測定部２００で計測したデータはデータ分析部３００に伝送され、前記データ分析部３００は、傾斜及び加速度測定部２００で測定したデータの送信を受けて、前記測定した傾斜データと加速度データの急激な変化が発生してあらかじめ設定した基準値を超過した場合、前記建築物に地震又は外部衝撃によって前記建築物の崩壊が発生したというイベントトリガー信号を発生するイベントトリガー発生部３１０と、前記イベントトリガー発生部３１０で地震又は外部衝撃による建築物の崩壊が発生したというイベントトリガー信号が発生した場合、前記人体感知部１００から送信を受けたデータで一定時間前のデータを抽出する人体感知抽出部３２０と、前記人体感知抽出部３２０で抽出した崩壊が発生する一定時間前のデータを分析して、崩壊が発生する一定時間前に人がいたかについての有無を判別する人体感知判別部３３０と、前記人体感知判別部３３０で建築物が崩壊する前に人がいたと判別する場合、建築物の崩壊によって存在した人が埋まったと仮定して、事前に保存した建築物の位置を低周波ＲＦ（Ｒａｄｉｏ  Ｆｒｅｑｕｅｎｃｙ）で伝播する位置伝送部３４０と、前記人体感知判別部３３０で建築物が崩壊する前に人がいたと判別する場合、建築物の崩壊によって存在した人が埋まったと仮定して警報アラーム部４００で事前に保存した建築物の崩壊位置情報を音声又はモールス符号によって警報するように制御する警報アラーム制御部３５０で構成される。
【００２５】
この際、位置伝送部３４０は、低周波ＲＦ（Ｒａｄｉｏ  Ｆｒｅｑｕｅｎｃｙ）で伝播して、該当周波数にラジオを合わせれば建築物の位置を把握することができる。
【００２６】
前記警報アラーム部４００は、データ分析部３００の警報アラーム制御部３５０の制御によって、建築物の崩壊時に内部に人がいると判断する場合、あらかじめ保存した建築物の埋没位置を音声信号又はモールス信号によって警報して、前記建築物の崩壊時に埋まった人々の位置を知らせ、救助隊員が迅速に埋没者の位置を把握し、これによって埋没者を救助して救助時間の遅延による被害を最小化することができる。
【００２７】
前記電源供給部５００は、平常時に常用電源を介して人体感知部１００と傾斜及び加速度測定部２００に電源を供給して常時計測を実施し、建築物に地震又は外部の衝撃によって崩壊が発生して常用電源の供給が難しい場合、バッテリーで代替して電源を供給することにより、非常時にデータ分析部３００と警報アラーム部４００へ電源供給することにより、救助隊員に埋没者の位置情報を警報によって知らせることができるようにする。
【００２８】
また、前記傾斜及び加速度測定部２００とデータ分析部３００と警報アラーム部４００と電源供給部５００とは、建築物の崩壊時に外部の衝撃に耐えられるようにハウジング６００を構成して、前記ハウジング６００の内部に設置して崩壊しながら発生する衝撃から保護して円滑に駆動できるようにする。また、前記ハウジング６００の表面にはデジタル時計等を構成して実用性を高めることができる。
【００２９】
前記のような構成からなる本発明は、建築物の崩壊時に前記建築物の崩壊によって待避しきれなかった人々が崩壊した建築物に埋まって早い時間に救助されずに発生する人命被害を防止するためのもので、建築物が崩壊されて埋まった人々は大部分が埋没当時は死亡はしてないが意識を失っていて自主的な救助信号を伝送することができず、救助隊員が崩壊事故現場をいちいち捜索して救助するしかなかったが、本発明によって、埋没事故が発生すれば建築物の内部で待避できなかった人々を把握して能動的に人々が存在した位置の情報を警報して、迅速な救助作業を行うことができる。
【００３０】
本発明の駆動順序を説明すれば、建築物に地震又は外部衝撃によって崩壊事故が発生した際、人体感知部１００は、人の存在有無を把握しやすい建築物内部の天井等に設置して平常時に常時人の存在有無を把握し、前記建築物に地震又は外部衝撃が発生すれば傾斜及び加速度測定部２００で地震又は外部衝撃によって加えられた建築物の傾斜データ及び加速度データを測定し、データ分析部３００は測定された傾斜データ及び加速度データを分析してあらかじめ設定した基準値を超過して傾斜及び加速度データの変化量が変化した場合、建築物が崩壊したと判断してこれをイベントトリガー信号として活用する。
【００３１】
前記傾斜データ及び加速度データに基準値を超過した変化量が感知されればイベントトリガー信号を発生し、人体感知部１００で常時測定していたデータを崩壊発生時の一定時間（例えば３０秒前）前のデータを抽出して、前記抽出したデータで人が感知されていたか判別する。前記抽出したデータによって人が存在したか判別されれば、事前に保存した建築物の崩壊位置を低周波ＲＦ（Ｒａｄｉｏ  Ｆｒｅｑｕｅｎｃｙ）で伝播して前記崩壊事故の際に埋まった人の位置情報をラジオを介して一定周波数を合わせれば警報できるようにし、現場では警報アラーム部４００によってあらかじめ設定した建築物の崩壊発生位置の位置情報を音声又はモールス符号によって警報して、崩壊事故が発生した現場の救助隊員に位置情報を伝達することにより、前記救助隊員は該当位置を捜索して埋没者を迅速に救助することができ、これによって埋没による人命被害を最小化することができるように構成する。
【００３２】
上述したように、本発明による望ましい実施例を説明したが、本発明は上記した実施例に限定されず、以下の特許請求の範囲で請求する本発明の要旨を逸脱することなく当該発明が属する分野で通常の知識を有する者ならば誰でも多様な変更実施が可能な範囲まで本発明の技術的精神があるといえるものである。
【図１】
2014520324.tif 000003
【図２】
2014520324.tif 000004
【図３】
2014520324.tif 000005
【国際調査報告】
2014520324.tif 000006
2014520324.tif 000007
2014520324.tif 000008
2014520324.tif 000009